(57)【要約】      （修正有）【課題】各パーツ間の接続をステップパネルの中に集中させて作業時間を大幅に短縮し、誰でも簡単に取り付け可能にした電子サイドミラーシステムを提供する。【解決手段】自動車両側のフロントドアまたはフロントフェンダに取り付けるサイドカメラ１と、車内に取り付けるモニター装置２と、を備え、電源はシガーソケット３に差し込むシガー電源コード３ａから取り、各パーツ間をフロントドアステップパネル５の中で相互接続する。カメラは磁石または両面粘着テープでサイドミラーに近いフロントドアまたはフロンドフェンダに固定する。モニターは車体とダッシュボードの隙間を利用して固定する。【選択図】図１
0003222603.tif 000002
【実用新案登録請求の範囲】
【請求項１】
システムの構成はサイドカメラ、モニター、シガー電源コードの三点セットで構成される。各パーツ間の接続はすべてフロントドアステップパネルの中で行なうことが特徴である。
【請求項２】
モニターの固定方法。モニターのスタンドは車体とダッシュボードの隙間を利用して固定することが特徴である。まずは薄いプラスチック板をモニタースタンド底板の裏面に両面粘着テープまたは接着剤で一体化させ、プラスチック板を車のボディーとダッシュボードの隙間に差し込む。そして、モニター正面の下の面を両面粘着テープでダッシュボードに固定する。
【請求項３】
サイドカメラ配線コードの形、固定方法及びサイドカメラとモニターの接続方法。カメラの配線コードは平たいタイプで、配線コードの裏面に両面粘着テープがあるのが特徴である。サイドカメラを磁石または両面粘着テープでサイドミラーに近いフロントドアまたはフロンドフェンダに固定して、カメラの配線コードをドアグロメットの外周に沿って、ウェザーストリップの外側からフロントドアの下の方向へ持っていき、ウェザーストリップとロッカーパネルの間にある穴に配線コードをくぐらし、ステップパネルの下で電源コードやＡＶコードを繋ぐ。配線コードはウェザーストリップの奥に貼り付けて固定する。ドアグロメットに穴を開けることなく、ステップパネルの下でサイドカメラとモニターを接続することが特徴である。
【考案の詳細な説明】
【技術分野】
【０００１】  本考案は、電子サイドミラーに必要なサイドカメラとモニターを簡単に設置できるようなシステム構成に関するものである。
【背景技術】
【０００２】  電子サイドミラーを取り付けるためには、車の構造や車の内部から電源を取る方法などに対して一定の知識がないと、なかなか取り付けることができないのは現実である。
【特許文献】
【０００３】
【非特許文献】
【０００４】
【考案の概要】
【考案が解決しようとする課題】
【０００５】  今までの電子サイドミラーまたはサイドカメラの取り付けには、カメラとモニターを接続するために、ドアグロメットに穴を開けたり、サイドミラーやドアの内部空間に配線を繋げたりする作業が必要であった。そして、車の内部から電源を取る作業も車に詳しくない方がなかなかできないのは現実である。その結果、それらの作業を専門業者に頼まざるを得ないことになっている。これは利用者にとって、時間的にも、経済的にも大きな負担となり、多くの方は電子サイドミラーまたはサイドカメラの設置を諦めることになる。従って、取り付け作業をいかにシンプルにすることは本考案が解決しようとする課題である。
【課題を解決するための手段】
【０００６】  まず電源はシガー電源コードでシガーライターから取ることにする。シガーライターはどの車にも装備されているため、差し込むだけで電源が取れる。そして、サイドカメラからモニターに接続するには、配線コードをドアグロメットの外周に沿って、ウェザーストリップの外側からウェザーストリップとロッカーパネルの間にある穴に配線コードをくぐらして、ステップパネルの下で電源コードやＡＶケーブルを繋ぐ方法で、ドアグロメットに穴を開けたり、サイドミラーやドアの内部空間に配線を繋げたりする作業をなくした。もう一つは、電源コードやＡＶケーブルの接続はすべてフロントドアステップパネルの中に集中させることで、作業時間を大幅に短縮させた。
【考案の効果】
【０００７】  上述の様に、車の専門業者でなくとも、簡単に電子サイドミラーまたはサイドカメラを短時間で取り付けることを可能にした。それによって、電子サイドミラーまたはサイドカメラをつける利用者が増え、車の両サイドの死角による事故の削減に役立つ。
【図面の簡単な説明】
【０００８】
【図１】本考案の電子サイドミラーシステムの基本構成図。
【図２】本システムのモニタースタンド底板図。
【図３】本システムのモニター正面図。
【図４】本システムのサイドカメラ配線コードの見取り図。
【図１】
0003222603.tif 000003
【図２】
0003222603.tif 000004
【図３】
0003222603.tif 000005
【図４】
0003222603.tif 000006
【手続補正書】
【提出日】平成31年3月22日(2019.3.22)
【手続補正１】
【補正対象書類名】実用新案登録請求の範囲
【補正対象項目名】全文
【補正方法】変更
【補正の内容】
【実用新案登録請求の範囲】
【請求項１】
自動車両側のフロントドアまたはフロントフェンダに取り付けるサイドカメラと、前記自動車の車内に取り付けるモニター装置と、前記自動車の車内にあるシガーソケットに差し込むシガー電源コードは、前記自動車のフロントドアステップパネルの中で相互接続する構造を有する電子サイドミラーシステム。
【請求項２】
前記モニター装置のスタンドは、前記車内の車体とダッシュボードの隙間に取り付けられる構造を有する電子サイドミラーシステム。
【請求項３】
前記カメラの配線コードは裏面に粘着力を持つ平たいタイプで、車体の表面に固定することのできる構造を有する電子サイドミラーシステム。
【手続補正２】
【補正対象書類名】明細書
【補正対象項目名】０００８
【補正方法】変更
【補正の内容】
【０００８】
【図１】本考案の電子サイドミラーシステムの基本構成図。
【図２】本システムのモニタースタンドの構造図。
【図３】本システムのモニター正面図。
【図４】本システムのサイドカメラ配線コードの見取り図。
【手続補正３】
【補正対象書類名】図面
【補正対象項目名】図２
【補正方法】変更
【補正の内容】
【図２】
0003222603.tif 000007
【手続補正４】
【補正対象書類名】図面
【補正対象項目名】図３
【補正方法】変更
【補正の内容】
【図３】
0003222603.tif 000008
【手続補正書】
【提出日】令和1年5月22日(2019.5.22)
【手続補正１】
【補正対象書類名】実用新案登録請求の範囲
【補正対象項目名】全文
【補正方法】変更
【補正の内容】
【実用新案登録請求の範囲】
【請求項１】
自動車両側のフロントドアまたはフロントフェンダに取り付けるサイドカメラと、前記自動車の車内に取り付けるモニター装置と、前記自動車の車内にあるシガーソケットに差し込むシガー電源コードは、前記自動車のフロントドアステップパネルの中で相互接続する構造を有する電子サイドミラーシステム。
【請求項２】
前記モニター装置のスタンドは、前記車内の車体とダッシュボードの隙間に取り付けられる構造を有することを特徴とする請求項１に記載の電子サイドミラーシステム。
【請求項３】
前記カメラの配線コードは裏面に粘着力を持つ平たいタイプで、車体の表面に固定することのできる構造を有することを特徴とする請求項１に記載の電子サイドミラーシステム。